(57)【要約】      （修正有）【課題】鋼鉄の心軸を有する従来の計時器歯車セットを提供すること、および完全な幾何形状を卓越した耐久性と組み合わせる。【解決手段】枢動軸Ｄを中心とする少なくとも１つの尖軸３を含むシャフト状部分２を備える計時器構成部品であって、このシャフト状部分２の少なくとも構成材料は、セラミックまたは類似の非磁性タイプの材料であり、シャフト状部分２は、均一に配列された、または枢動軸Ｄを中心に規則的に分散した複数の凹部７を含み、枢動軸Ｄ上にシャフト状部分２の慣性中心を有し、枢動軸Ｄに対して最大直径を形成するカラー９を含み、このカラー９は、シャフト状部分２の分割線９０を含み、この分割線９０は、枢動軸Ｄに実質的に垂直であり、凹部７は、カラー９をまっすぐに通過し、少なくとも１つの凹部７は、材料のための注入点８を含有する。【選択図】図２
2020008572.tif 000002
【特許請求の範囲】
【請求項１】
枢動軸（Ｄ）を中心とする少なくとも１つの尖軸（３）を含むシャフト状部分（２）を備える計時器構成部品（１）であって、前記シャフト状部分（２）の少なくとも構成材料は、セラミックである、および／または前記シャフト状部分（２）は、前記枢動軸（Ｄ）の周囲に均一に配列された複数の凹部（７）を含み、前記枢動軸（Ｄ）上に前記シャフト状部分（２）の慣性中心を有し、前記少なくとも１つの凹部（７）は、前記材料のための注入点（８）を含有することを特徴とする計時器構成部品（１）。
【請求項２】
前記シャフト状部分（２）は、前記枢動軸（Ｄ）に対して最大直径を形成するカラー（９）を含み、前記カラー（９）は、前記シャフト状部分（２）の分割線（９０）を含み、前記分割線（９０）は、前記枢動軸（Ｄ）に実質的に垂直であることを特徴とする、請求項１に記載の構成部品（１）。
【請求項３】
前記凹部（７）は、前記カラー（９）をまっすぐ通過することを特徴とする、請求項２に記載の構成部品（１）。
【請求項４】
前記注入点（８）は、前記枢動軸（Ｄ）に最も近い前記凹部（７）の領域に位置することを特徴とする、請求項１に記載の構成部品（１）。
【請求項５】
前記シャフト状部分（２）の非機能部分に、または前記シャフト状部分（２）と共に同じ材料から作成された前記構成部品（１）の別の非機能部分に、少なくとも１つの前記注入点（８）を含むことを特徴とする、請求項１に記載の構成部品（１）。
【請求項６】
前記シャフト状部分（２）は、前記構成部品（１）に備わったリム（４）またはローラ（４０）を支持するために、前記枢動軸（Ｄ）を中心に回転する少なくとも１つの支持表面（５０；６０）に隣接する、前記枢動軸（Ｄ）を中心に回転する少なくとも１つの肩部（５；６）を含むことを特徴とする、請求項１に記載の構成部品（１）。
【請求項７】
前記シャフト状部分（２）は、前記構成部品（１）に備わった前記リム（４）または前記ローラ（４０）を支持するために、前記枢動軸（Ｄ）を中心に回転する前記少なくとも１つの支持表面（５０；６０）に隣接する、前記枢動軸（Ｄ）を中心に回転する前記少なくとも１つの肩部（５；６）を含むことを特徴とし、ならびに前記シャフト状部分（２）は、前記カラー（９）の両側に、前記第１の肩部および前記第２の肩部（５；６）ならびに前記第１の支持表面および前記第２の支持表面（５０；６０）を含むことを特徴とする、請求項２に記載の構成部品（１）。
【請求項８】
前記肩部（５；６）は、円筒状であることを特徴とする、請求項６に記載の構成要素（１）。
【請求項９】
前記第２の支持表面（５０；６０）は、円錐状または平面状であることを特徴とする、請求項６に記載の構成部品（１）。
【請求項１０】
前記材料は、酸化アルミニウム、酸化ジルコニウム、酸化ケイ素、窒化ケイ素、炭化ケイ素、炭化物、炭化ホウ素、二ホウ化チタンＴｉＢ2、ダイヤモンド、炭化タングステン、および溶融石英などの中から選ばれた少なくとも第１の要素を含有するセラミックであることを特徴とする、請求項１に記載の構成部品（１）。
【請求項１１】
前記セラミックは、ＭｇＯ、ＣａＯ、Ｙ2Ｏ3、炭素、炭素線維、カーボンナノチューブ、有色顔料、およびエレクトレットの中から選ばれた少なくとも１つの添加剤を含有することを特徴とする、請求項１０に記載の構成部品（１）。
【請求項１２】
前記材料は、酸化イットリウムＹ2Ｏ3の微量の添加剤を伴う酸化ジルコニウムＺｒＯ2から作成されたセラミックであることを特徴とする、請求項１に記載の構成部品（１）。
【請求項１３】
前記セラミックは、完全に非磁性であることを特徴とする、請求項１に記載の構成部品（１）。
【請求項１４】
前記セラミックは、磁化された粒子および／または磁化できる粒子で充填されることを特徴とする、請求項１に記載の構成部品（１）。
【請求項１５】
てんぷであり、前記シャフト状部分（２）上で、少なくとも１つの前記リム（４）および少なくとも１つの前記ローラ（４０）を支えることを特徴とする、請求項１に記載の構成部品（１）。
【請求項１６】
計時器振動子（１００）であって、請求項１に記載の少なくとも１つの構成部品（１）を含む計時器振動子（１００）。
【請求項１７】
計時器ムーブメント（２００）であって、請求項１６に記載の少なくとも１つの振動子（１００）を含む計時器ムーブメント（２００）。
【請求項１８】
計時器（１０００）であって、請求項１７に記載の少なくとも１つのムーブメント（２００）を含む計時器（１０００）。
【請求項１９】
ウオッチであることを特徴とする、請求項１８に記載の計時器（１０００）。
【請求項２０】
枢動軸（Ｄ）を中心とする少なくとも１つの尖軸（３）を含むシャフト状部分（２）を備える計時器構成部品（１）を作成するための方法であって、前記シャフト状部分（２）は、少なくとも２つの部分を有し、かつ各前記尖軸（３）上で回転する表面を直接作り出すように配列された鋳型の中に、セラミックまたは類似のタイプの材料を注入することにより作成され、前記鋳型に充填した後、前記注入材料は、前記材料に特定の処理に従って硬化され、次いで、前記注入材料が硬化すると、前記鋳型は開けられ、前記構成部品（１）は前記シャフト状部分（２）に限定されず、かつ少なくとも１つの添加要素を含むとき、各前記要素は、前記シャフト状部分（２）上に置かれ、前記シャフト状部分（２）上で不動化されることを特徴とする方法。
【請求項２１】
前記鋳型を開けた後、回転する肩部、ならびにとりわけ前記シャフト状部分（２）に備わった前記尖軸（３）および／または尖軸シャンクを研削および／またはダイヤモンド研磨することにより仕上げ削りを行うことを特徴とする、請求項２０に記載の方法。
【請求項２２】
前記枢動軸（Ｄ）上に整列した少なくとも２つの鋳型部分を含み、かつ前記シャフト状部分（２）の最大直径の領域にある分割線の両側上に伸長する前記鋳型を使用し、前記最大半径の前記領域は、カラー（９）を画定することを特徴とする、請求項２０に記載の方法。
【請求項２３】
前記材料は、前記カラー（９）に備わった少なくとも１つの凹部（７）の内側に配列された少なくとも１つの注入点（８）で前記鋳型の中に注入されることを特徴とする、請求項２２に記載の方法。
【発明の詳細な説明】
【技術分野】
【０００１】
本発明は、枢動軸を中心とする少なくとも１つの尖軸を含むシャフト状部分を備える計時器構成部品に関する。
【０００２】
本発明はまた、少なくとも１つの構成部品を備える計時器振動子に関する。
【０００３】
本発明はまた、少なくとも１つのそのような振動子および／または少なくとも１つのそのような構成部品を含む計時器ムーブメントに関する。
【０００４】
本発明はまた、少なくとも１つのそのようなムーブメント、および／または少なくとも１つのそのような振動子、および／または少なくとも１つのそのような構成部品を含む計時器に関する。
【０００５】
本発明はまた、シャフト状部分を備える計時器構成部品を、より詳細には、計時器歯車セットを作成するための方法に関し、この構成部品は、枢動軸を中心とする少なくとも１つの尖軸を含む。
【０００６】
本発明は、計時器構成部品および歯車セットの分野に関し、より詳細には、振動子または計時器ムーブメントに備わった歯車セットを作成する分野に関する。
【背景技術】
【０００７】
小型の計時器構成部品を、詳細には歯車セットを作成することは、機械加工費用が高い可能性があるために、およびある種の幾何形状を作り出す際の、詳細には、関係する構成部品が、たとえば、てんぷの場合のように横断面の差が大きいときの困難さのために、製造業者にとって常に関心事であり、そのような歯車セットは、小さな枢動直径にもかかわらず完全に枢動しなければならず、どんな歪みも一定の振動周波数を維持するのに悪影響を及ぼす不均衡をもたらすので、衝撃に対して著しく耐性がなければならない。
【０００８】
ＲＯＬＥＸの名義の欧州特許出願第３２５８３２５（Ａ１）号明細書は、少なくとも１つの尖軸シャンク部分、および／または少なくとも１つの枢動部分を含む第１の機能部分を含む計時器心軸を、詳細にはてん真を開示しており、そこでは、第１の機能部分は、セラミックから作成され、第１の機能部分の第１の外径は、０．５ｍｍ未満、または０．４ｍｍ未満、または０．２ｍｍ未満、または０．１ｍｍ未満である。
【０００９】
ＴＩＳＳＯＴ名義の仏国特許出願第１４３８８７（Ａ）号明細書は、計時器ムーブメントを統制するひげぜんまいの一方の端部を接続部材に取り付けるための機器を開示している。この接続部材は、締結凹部を、詳細には溝を含み、ひげぜんまいと協働するてん真と一体にすることができる。
【先行技術文献】
【特許文献】
【００１０】
【特許文献１】欧州特許出願第３２５８３２５（Ａ１）号明細書
【特許文献２】仏国特許出願第１４３８８７（Ａ）号明細書
【発明の概要】
【発明が解決しようとする課題】
【００１１】
本発明は、鋼鉄の心軸を有する従来の計時器歯車セットを提供すること、および完全な幾何形状を、卓越した耐久性と組み合わせることを提案する。
【課題を解決するための手段】
【００１２】
この目的を達成するために、本発明は、請求項１に記載の、枢動軸を中心とする少なくとも１つの尖軸を含むシャフト状部分を備える計時器構成部品に関する。
【００１３】
本発明はまた、少なくとも１つのそのような構成部品を備える計時器振動子に関する。
【００１４】
本発明はまた、少なくとも１つのそのような振動子および／または少なくとも１つのそのような構成部品を含む計時器ムーブメントに関する。
【００１５】
本発明はまた、少なくとも１つのそのようなムーブメント、および／または少なくとも１つのそのような振動子、および／または少なくとも１つのそのような構成部品を含む計時器に関する。
【００１６】
本発明はまた、計時器構成部品を、より詳細には計時器歯車セットを作成するための方法に関し、この構成部品は、請求項１８に記載の、枢動軸を中心とする少なくとも１つの尖軸を含むシャフト状部分を備える。
【００１７】
本発明の他の特徴および利点は、添付図面を参照して以下の詳細な記述を読むと明らかになるであろう。
【図面の簡単な説明】
【００１８】
【図１】回転軸上の遠位端に２つの尖軸を含むシャフト状貫通部分を含む、この場合はてんぷを形成する歯車セットである、本発明による計時器構成部品の、概略の側面図を表し、このシャフト状部分は、第１の肩部上で、シャフト状部分の最大直径の領域を形成するカラーの第１の側面上に横方向に載るてんぷリムを支え、シャフト状部分の最大直径の領域はまた、第１の側面の反対側にあるカラーの第２の側面上に載る第２の肩部上で、振り石を支えるてんぷローラを支える。
【図２】この歯車セットのシャフト状部分だけを示す、概略の透視図を表し、このシャフト状部分は、この場合、カラーをまっすぐに通過する１２０°の所に、注入点の底部が目に見える所に、３つの凹部を含む。
【図３】このシャフト状部分を図１に類似する手法で表す。
【図４】このシャフト状部分を端面図で表す。
【図５】１つのそのような歯車セットを組み入れる振動子を含む計時器ムーブメントを含むウオッチを表す構成図である。
【図６】この場合は歯車列の歯車セットであり、かつ回転軸上の遠位端に２つの尖軸を含む、シャフト状貫通部分を含む、本発明による別の計時器構成部品の、概略の側面図を表し、このシャフト状部分は、ピニオンを支える。
【図７】図６の歯車セットの側面図を表す。
【図８】図６の歯車セットのシャフト状部分だけを示す、概略の透視図である。
【図９】図８のシャフト状部分の側面図を表す。
【図１０】この場合は歯車列の別の歯車セットであり、かつ回転軸上の遠位端に２つの尖軸を含むシャフト状貫通部分を含む、本発明による別の計時器構成部品の、概略の側面図を表し、このシャフト状部分は、ピニオンおよび歯車を支える。
【図１１】この場合は脱進機機構のアンクルであり、かつ回転軸上の遠位端に２つの尖軸を含むシャフト状貫通部分を含む、本発明による別の計時器構成部品の、概略の側面図を表し、このシャフト状部分は、アンクル真であり、アンクルの本体を支える。
【発明を実施するための形態】
【００１９】
本発明は、計時器構成部品１に、より詳細には、計時器歯車セットに関する。この構成部品１は、枢動軸Ｄを中心とする少なくとも１つの尖軸３を含むシャフト状部分２を備える。
【００２０】
シャフト状部分２の少なくとも構成材料は、セラミック、または類似のものである。
【００２１】
そしてこのシャフト状部分２は、枢動軸Ｄの周囲に均一に配列され、かつとりわけ枢動軸Ｄを中心に規則的に分散した複数の凹部７を有し、枢動軸Ｄ上にシャフト状部分２の慣性中心を有する。
【００２２】
このシャフト状部分２は、枢動軸Ｄに対して最大直径を構成する、カラー９と呼ばれる、より大きな直径の領域を含む。
【００２３】
より詳細には、カラー９は、シャフト状部分２の分割線９０を含み、この分割線９０は、枢動軸Ｄに実質的に垂直である。
【００２４】
より詳細には、凹部７は、カラー９をまっすぐに通過する。
【００２５】
本発明によれば、特定の有利な実施形態では、シャフト状部分２の構成材料が注入可能であるとき、少なくとも１つの凹部７は、材料のための注入点８を含有する。より詳細には、各凹部７は、材料のための注入点８を含有する。有利には、注入点８は、枢動軸Ｄに最も近い凹部７の領域に位置する。そして、特定の一変形形態では、注入点は、カラー９の中央で軸Ｄの方向に位置する。
【００２６】
したがって、何であれどんな機能上の回転肩部とも干渉がないので、凹部７に注入点８を置くことは、特に有利である。さらに、円筒状の凹部７の図により示す特定の事例では、注入点８を調節することは非常に容易であり、機能上の肩部を損傷する危険性はまったくない。
【００２７】
別の実施形態では、少なくとも１つの注入点は、シャフト状部分２の別の非機能部分に、たとえば、最大直径の下に位置する、またはシャフト状部分２と共に、同じ材料から、とりわけセラミックから作成された構成部品１の、別の非機能部分に位置する。ここで、「非機能部分」は、計時器機構の別の構成部品と協働するように配列された表面をまったく有しない構成部品の部分を意味する。
【００２８】
一変形形態では、注入点８は、回転する溝の底部に置かれる。
【００２９】
製造業者については、分割線９０の両側で、２部分鋳型で射出成形することにより、シャフト状部分の横断面は、分割線９０から、好ましくは尖軸３および／または尖軸シャンクを含む各遠位端に向けて、低減する。この実施形態は、注入線のまったく伴わない尖軸肩部を得ることを可能にする。
【００３０】
「注入点」の形状は、鋳型、および使用する生産設備に依存する。注入点は、一般に円形であるが、この実施形態は、限定しておらず、注入点はまた、短い扇型とすることができ、注入点の表面の領域および形状は、アンクル真、またはさらにはフランジ、またはピニオンのための歯部の底部上などのような、非機能領域内の構成部品１で利用できる空間に関係がある。注入点は、有利には、ノッチの底部または凹部の底部内に置かれる。
【００３１】
詳細には、シャフト状部分２は、構成部品１に備わったリム４またはローラ４０を支持するために、枢動軸Ｄを中心に回転する少なくとも１つの支持表面５０、６０に隣接する、枢動軸Ｄを中心に回転する少なくとも１つの肩部５、６を含む。このリム４は、てんぷリム、または歯付きのローラなどとすることができる。
【００３２】
別の実施形態では、構成部品１は、歯車またはピニオンであり、構成部品１のカラー９上に、同じくセラミックから作成され、かつどんな仕上げ削りまたはトリミングも回避する射出成形により作り出すことができる歯部を含む。
【００３３】
より詳細には、シャフト状部分２は、カラー９の両側に、第１の肩部５および第２の肩部６、ならびに第１の支持表面５０および第２の支持表面６０を含む。
【００３４】
一変形形態では、肩部５、６は、円筒状である。
【００３５】
一変形形態では、第２の支持表面５０、６０は、円錐状または平面状である。
【００３６】
図１は、この場合、てんぷを形成する歯車セットであり、かつ回転軸Ｄ上の遠位端に２つの尖軸３を含むシャフト状貫通部分２を含む構成部品１を示す。シャフト状部分２は、第１の肩部５上で、カラー９の第１の側面６上に横方向に載るてんぷリム４を支える。シャフト状部分２はまた、第１の側面６の反対側にあるカラー９の第２の側面６０上に載る第２の肩部５０上で、振り石を支えるてんぷローラ４０を支える。
【００３７】
より詳細には、材料はセラミックである。そのようなセラミックは、酸化アルミニウム、酸化ジルコニウム、酸化ケイ素、窒化ケイ素、炭化ケイ素、炭化チタン、炭化ホウ素、二ホウ化チタンＴｉＢ2、ダイヤモンド、炭化タングステン、溶融石英などの中から選ばれた少なくとも第１の要素を含む。当然、このセラミックは、酸化アルミニウム、酸化ジルコニウム、酸化ケイ素、窒化ケイ素、炭化ケイ素、炭化チタン、炭化ホウ素、二ホウ化チタンＴｉＢ２、ダイヤモンド、炭化タングステン、溶融石英などの中から選ばれた複数の構成要素を含んでもよい。このセラミックは、一般に少なくとも１つの安定剤、および／または少なくとも１つの微量の添加剤、および／またはＭｇＯ、ＣａＯ、Ｙ2Ｏ3などのような、機械的特性を改善するための少なくとも１つの材料、および／または他の潤滑、外観、磁気特性、もしくは他の特性のための炭素、炭素線維、カーボンナノチューブ、有色顔料、エレクトレットなどのような少なくとも１つの添加剤を含む。限定せずに、このセラミックは、鋳型の中に注入され、次いで、焼結されて、構成部品を作り出す。
【００３８】
図に示す構成部品は、たとえば有利には、少なくとも１つの酸化イットリウムＹ2Ｏ3の微量の添加剤を伴う、通常はジルコニアと呼ばれる酸化ジルコニウムＺｒＯ2から作成される。
【００３９】
詳細には、シャフト状部分の材料は、とりわけそのようなセラミックは、完全に非磁性である。
【００４０】
一代替形態では、シャフト状部分の材料は、とりわけそのようなセラミックは、磁化された粒子および／または磁化できる粒子で充填される。
【００４１】
特定の用途では、構成部品１は、てんぷであり、シャフト状部分２上で、少なくとも１つのリム４および少なくとも１つのローラ４０を支える。
【００４２】
本発明はまた、少なくとも１つのそのような構成部品１を備える計時器振動子１００に関する。
【００４３】
本発明はまた、少なくとも１つのそのような振動子１００および／または少なくとも１つのそのような構成部品１を含む計時器ムーブメント２００に関する。
【００４４】
本発明はまた、少なくとも１つのそのようなムーブメント２００、および／または少なくとも１つのそのような振動子１００、および／または少なくとも１つのそのような構成部品１を含む計時器１０００に関する。より詳細には、この時計１０００はウオッチである。
【００４５】
本発明はまた、計時器構成部品１を，より詳細には計時器歯車セットを作成するための方法に関し、この構成部品１は、枢動軸Ｄを中心とする少なくとも１つの尖軸３を含むシャフト状部分２を備える。この方法によれば、このシャフト状部分２は、少なくとも２つの部分を有する鋳型の中にセラミックまたは類似のタイプの材料を注入することにより作成され、各尖軸３上に回転表面を直接作り出すように配列される。より詳細には、鋳型の少なくとも２つの部分は、枢動軸Ｄ上に整列させられ、さらにより詳細には、これらの少なくとも２つの整列した部分は、シャフト状部分２の最大直径の領域に位置する分割線の両側で伸長し、この最大直径の領域は、カラー９を画定する。より詳細には、材料は、カラー９に備わり、鋳型の突出部分に対応する少なくとも１つの凹部７の内側に配列された少なくとも１つの注入点８で鋳型の中に注入される。より詳細には、材料は、少なくとも１つの注入点８で、枢動軸Ｄに最も近い、関係する凹部７の領域内で注入される。
【００４６】
鋳型に充填した後、次いで、注入材料は、材料、重合、焼結などに特有の処理に従って硬化される。注入材料が硬化すると、鋳型を開ける。必要であれば、研削および／またはダイヤモンド研磨などにより、回転する肩部の、詳細には、シャフト状部分２に備わった尖軸および／または尖軸シャンクの仕上げ削りを行う。構成部品１が、シャフト状部分２に限定されず、リム４および／またはローラ４０および／または振り石などの少なくとも１つの追加要素を含むとき、そのような各要素は、シャフト状部分上に置かれ、接合などにより不動化される。排他的ではなく、より詳細には、この不動化は取り消せない。
【００４７】
したがって、本発明は、少なくとも２つの部分を有する鋳型の中に材料を注入することにより、正確な回転の形状および表面を伴う計時器構成部品を、詳細には計時器歯車セットを作成することを可能にする。この材料は、詳細には、非磁性セラミックであってもよい。構成部品は、実質的に仕上がった寸法で、機械加工を著しく省いて作成されるので、生産方法は、材料の節約を可能にする。注入方法はまた、シャフト状部分の良好な平衡を即座に確実にする。仕上げ作業は、最低限まで低減され、構成要素１の機能に応じて、さらには不必要な場合がある。
【符号の説明】
【００４８】
１  計時器構成部品
２  シャフト状部分
３  尖軸
４  リム
５、６  肩部
７  凹部
８  注入点
９  カラー
４０  ローラ
５０、６０  支持表面
９０  分割線
１００  計時器振動子
２００  計時器ムーブメント
１０００  計時器
Ｄ  枢動軸
【図１】
2020008572.tif 000003
【図２】
2020008572.tif 000004
【図３】
2020008572.tif 000005
【図４】
2020008572.tif 000006
【図５】
2020008572.tif 000007
【図６】
2020008572.tif 000008
【図７】
2020008572.tif 000009
【図８】
2020008572.tif 000010
【図９】
2020008572.tif 000011
【図１０】
2020008572.tif 000012
【図１１】
2020008572.tif 000013
【外国語明細書】
2020008572000001.pdf